(57)【要約】【課題】  ミキサー車を止めたままで生コンクリートの排出口を前後左右及び上下方向に簡単且つ確実に微調整できるミキサー車のシュート装置を提供する。【解決手段】  ミキサードラム5から払い出される生コンクリートを受け、先端に向け下降傾斜する樋状主シュート1と、該主シュートの外面に内面の一部又は全部を当接又は近接させ配設される樋状補助シュート2と、該補助シュートに一端を係止すると共に他端を主シュート1に係止して主シュートの基端から補助シュートの先端までの全長を伸縮可能にする伸縮用アクチュエータ3と、主シュート１の先端部分又は先端部分寄りで補助シュート2の下面側を跨いで両端が主シュート両外縁に固着される半割りリング体15と、基端を車体側に係止する一方、先端をリング15体に係止して支軸8とで主シュートを支え、該主シュートの下降傾斜角度を変更設定可能な角度調整用アクチュエータ4とを具備する。【選択図】  図３
0003127218.tif 000002
【実用新案登録請求の範囲】
【請求項１】
ミキサー車後部に設置されるミキサー車のシュート装置において、
基端部が車体側から起立する支軸（８）に水平旋回可能に取り付けられて、ミキサードラム（５）から払い出される生コンクリートを受け、先端に向けて下降傾斜する樋状の主シュート（１）と、
該主シュートの外面に、内面の一部又は全部を当接又は近接させるようにして配設される樋状の補助シュート（２）と、
該補助シュートに一端を係止すると共に他端を前記主シュートに係止して、その作動により主シュートの基端から補助シュートの先端までの全長を伸縮可能にする伸縮用アクチュエータ（３）と、
前記主シュートの先端部分又は先端部分寄りで、前記補助シュートの下面側を跨いで両端が主シュートの両外縁に固着される半割りリング体（１５）と、
基端を車体側に係止する一方、先端を前記リング体に係止して前記支軸とで主シュートを支え、且つ該主シュートの下降傾斜角度を変更設定し得るようにした角度調整用アクチュエータ（４）と、を具備することを特徴とするミキサー車のシュート装置。
【請求項２】
前記補助シュート（２）の両側上部にそれぞれ筒体（２６）を固着すると共に、該筒体に遊挿したガイドバー（１３ｃ）を前記主シュート（１）の両側の開口側縁に沿ってそれぞれ設け、該補助シートが該主シュートに対し進退動可能なるようにした請求項１記載のミキサー車のシュート装置。
【請求項３】
前記補助シュート（２）にその樋状本体部（２１）の後部下部分から主シュート（１）の基端側へ向けて帯状又は舌片状に突出する延設部（２３）を設けた請求項１又は２に記載のミキサー車のシュート装置。
【請求項４】
前記伸縮用アクチュエータ（３）を油圧シリンダ又はエアシリンダとし、且つそのシリンダ本体（３１）が主シュート（１）の基端部に取着される一方、シリンダロッド（３２）の先端が前記延設部（２３）を避けて前記樋状本体部（２１）の後部に取着される請求項３記載のミキサー車のシュート装置。
【考案の詳細な説明】
【技術分野】
【０００１】
本考案はミキサー車から生コンクリートを所定の排出場所へ払い出すミキサー車のシュート装置に関する。
【背景技術】
【０００２】
ミキサードラム(以下、単に「ドラム」という。)から生コンクリートを払い出し、打設工事や荷卸しを行うにはシュート装置が必要になっており、そのシュート装置の改良に関してこれまで種々の発明技術が提案されてきた（例えば特許文献１,２）。
【０００３】
【特許文献１】特開２０００−２７１９２５号公報（以下、「引例１」という。）
【特許文献２】特開２００１−１０５４２２号公報（以下、「引例２」という。）
【０００４】
引例１は生コンクリートの排出場所が遠方にあるため、主シュートだけでは短いことから補助シュートを延長するときに作業性を改良する技術で、また引例２はミキサードラムから排出される生コンクリートを受ける主シュートの旋回装置を提案している。
【考案の開示】
【考案が解決しようとする課題】
【０００５】
しかるに、前記引例１,２に限らず、従来のシュート装置の機構はドラムから生コンクリートを払い受ける主シュートの基端部の下に設けた支持軸を縦軸中心として主シュートが水平旋回し、排出口となる先端部はライン状の円弧軌道を描くだけにすぎなかった。斯かる構成から、所定の排出場所に生コンクリートを払い出すには、先ず主シュートの排出口が所定排出場所に届く地点までミキサー車を後退させ、その後、排出場所の上方位置にシュートを調整してようやく準備が整った(例えば、引例２の図３)。そして、生コンクリートの排出口を微妙に変化させていかねばならないときは一層厄介になった。例えば施工現場で、側溝等のライン上に沿って生コンクリートを流し込んでいく場合は、支持軸を中心として主シュートが水平旋回するため、当初設定した地点では具合が良くても、側溝に沿って生コンクリートを流し込んでいくと、シュートが伸びないため側溝ラインと主シュートの先端部の距離が徐々に離れてしまう不具合を招いていた(図９参照)。その結果、いちいちミキサー車を前後左右に移動させて再設定しなければならなかった。
また排出場所がシュートの前方に位置する場合の対策として、引例１等のごとく主シュートの先端部に回動可能な一定長さの補助シュートを取付け、該補助シュートを延長させて選択使用できる方法があるが、これも側溝等に沿って生コンクリートを流し込んでいく場合はミキサー車を前後左右に移動させて再設定しなければならない状況に変わりなかった。主シュートの先端部か、或いは延長状態にした場合の補助シュート先端部が排出口になるかの二者択一の選択でしかなく、補助シュートを設けることによって半径が大きい１本のライン状円弧軌道を描けるだけであって、ミキサー車の移動手間は同様で大変な労力を強いられた。
【０００６】
本考案は上記問題点を解決するもので、ミキサー車を止めたままで生コンクリートの排出口を前後左右及び上下方向に簡単且つ確実に微調整できるミキサー車のシュート装置を提供することを目的とする。
【課題を解決するための手段】
【０００７】
上記目的を達成すべく、請求項１に記載の考案の要旨は、ミキサー車後部に設置されるミキサー車のシュート装置において、基端部が車体側から起立する支軸（８）に水平旋回可能に取り付けられて、ミキサードラム（５）から払い出される生コンクリートを受け、先端に向けて下降傾斜する樋状の主シュート（１）と、該主シュートの外面に、内面の一部又は全部を当接又は近接させるようにして配設される樋状の補助シュート（２）と、該補助シュートに一端を係止すると共に他端を前記主シュートに係止して、その作動により主シュートの基端から補助シュートの先端までの全長を伸縮可能にする伸縮用アクチュエータ（３）と、前記主シュートの先端部分又は先端部分寄りで、前記補助シュートの下面側を跨いで両端が主シュートの両外縁に固着される半割りリング体（１５）と、基端を車体側に係止する一方、先端を前記リング体に係止して前記支軸とで主シュートを支え、且つ該主シュートの下降傾斜角度を変更設定し得るようにした角度調整用アクチュエータ（４）と、を具備することを特徴とするミキサー車のシュート装置にある。
請求項２の考案たるミキサー車のシュート装置は、請求項１で、補助シュート（２）の両側上部にそれぞれ筒体（２６）を固着すると共に、該筒体に遊挿したガイドバー（１３ｃ）を前記主シュート（１）の両側の開口側縁に沿ってそれぞれ設け、該補助シートが該主シュートに対し進退動可能なるようにしたことを特徴とする。請求項３の考案たるミキサー車のシュート装置は、請求項１又は２で、補助シュート（２）にその樋状本体部（２１）の後部下部分から主シュート（１）の基端側へ向けて帯状又は舌片状に突出する延設部（２３）を設けたことを特徴とする。
請求項４の考案たるミキサー車のシュート装置は、請求項３で、伸縮用アクチュエータ（３）を油圧シリンダ又はエアシリンダとし、且つそのシリンダ本体（３１）が主シュート（１）の基端部に取着される一方、シリンダロッド（３２）の先端が前記延設部（２３）を避けて前記樋状本体部（２１）の後部に取着されることを特徴とする。
【０００８】
(作用)
請求項１の考案のごとく、主シュート（１）と補助シュート（２）と、該補助シュートに一端を係止すると共に他端を前記主シュートに係止して、その作動により主シュートの基端から補助シュートの先端までの全長を伸縮可能にする伸縮用アクチュエータ（３）とを具備すると、ミキサー車を止めた状態で、補助シュートの先端を伸ばしたり引っ込めたりして主シュート前後方向に微調整できる。そして、主シュートの基端部が車体側から起立する支軸（８）に水平旋回可能に取り付けられて、主シュート（１）がミキサードラム（５）から払い出される生コンクリートを受け、先端に向けて下降傾斜するので、支軸を軸に左右方向に補助シュートの先端を旋回させることも容易となる。さらに、主シュートの先端部分又は先端部分寄りで、前記補助シュートの下面側を跨いで両端が主シュートの両外縁に固着される半割りリング体（１５）と、基端を車体側に係止する一方、先端を前記リング体に係止して前記支軸とで主シュートを支え、且つ該主シュートの下降傾斜角度を変更設定し得るようにした角度調整用アクチュエータ（４）とを具備すると、該角度調整用アクチュエータを作動させることによって補助シュートの先端を上下方向に簡単に微調整できる。
また、角度調整用アクチュエータがその基端を車体側に係止する一方、先端を前記リング体に係止して前記支軸とで主シュートを支えると、樋状の主シュートの長手方向の両端を支え持つことになるので主シュートが安定保持される。加えて、半割りリング体が主シュートの先端部分又は先端部分寄りで、前記補助シュートの下面側を跨いで両端が主シュートの両外縁に固着されると、補助シュートは該半割りリング体をかいくぐることができ、補助シュートの長さを存分に確保できる。補助シュートを退動させた状態下の主シュートの基端から補助シュートの先端までの全長をコンパクトにしながら、補助シュートを進出させた状態下の主シュートの基端から補助シュートの先端までの全長を大きく伸ばすことができ、ミキサー車を止めたままで生コンクリートの排出口を従来になく広い範囲で操ることが可能になる。
請求項２の考案のごとく、補助シュート（２）の両側上部にそれぞれ筒体（２６）を固着すると共に、該筒体に遊挿したガイドバー（１３ｃ）を前記主シュート（１）の両側の開口側縁に沿ってそれぞれ設け、該補助シートが該主シュートに対し進退動可能なるようにすると、簡便な構造でもってミキサー車を止めたままで排出口の前後方向の微調整ができる。
請求項３の考案のごとく、補助シュート（２）にその樋状本体部（２１）の後部下部分から主シュート（１）の基端側へ向けて帯状又は舌片状に突出する延設部（２３）を設けると、補助シュートの樋状本体部（２１）を主シュートの先端近くまで進出させても、補助シュートの自重で前記延設部が主シュートに当接又は係止するので、主シュートから補助シュートの先端まで樋状態を保って伸長可能になる。補助シュートの筒状本体部のほぼ全域を、主シュートの基端から補助シュートの先端までの全長に有効活用できる。その伸長状態で、補助シュートは、前記筒体が主シュートの両側で各一カ所しか存在しなくても延設部が加わることで合計３カ所で係止されることになり、主シュートに安定且つ確実に保持される。
請求項４の考案のごとく、伸縮用アクチュエータ（３）を油圧シリンダ又はエアシリンダとし、且つそのシリンダ本体（３１）が主シュート（１）の基端部に取着される一方、シリンダロッド（３２）の先端が前記延設部（２３）を避けて前記樋状本体部（２１）の後部に取着されると、シリンダロッドは十分な長さを確保できるので、ミキサー車を止めたままで生コンクリートの排出口を前後方向に微調整できる範囲が広まることになる。
ミキサー車のシュート装置のコンパクト化を実現する一方で、補助シュートが最大延長した場合の補助シュート先端の描く円周軌道が断然大きくなり、支軸を中心とした主シュートの水平旋回可能範囲において、この円周軌道と、補助シュートが格納された状態下の主シュート先端(又は補助シュート先端)の描く円周軌道とで囲まれた範囲が格段に広くなる。そしてこの範囲であれば、希望する排出場所に対して、排出口の設定は前後左右どこにでも簡単にできるようになる。従来、ミキサー車をわざわざ移動させねばならなかった作業を大幅に削減できる。
【考案の効果】
【０００９】
本考案のミキサー車のシュート装置は、支軸を中心に水平旋回するだけでなく、主シュートの基端から補助シュートの先端までの全長を伸縮可能にすると共に主シュートの下降傾斜角度を変更設定できるので、ミキサー車を停止させたまま、生コンクリートの排出口を前後左右及びシュートの傾斜角度方向に簡単に微調整できるようになる。とりわけ、主シュート,補助シュートが安定保持される構造にして補助シュートの長さが十二分に確保できるので、主シュートの基端から補助シュートの先端までの全長の伸縮範囲が広がり、施工現場で側溝に沿って生コンクリートを流し込んでいく場合などにおいて作業性向上に優れた効果を発揮する。
【考案を実施するための最良の形態】
【００１０】
以下、本考案に係るミキサー車のシュート装置について詳述する。
図１〜図１１は本考案のミキサー車のシュート装置(以下、単に「シュート装置」という。）の一形態で、図１はそのシュート装置が設置されたミキサー車の概略背面図、図２は図１の概略側面図、図３は補助シュートが退動状態にあるシュート装置の要部斜視図、図４は図３の右側面図、図５は図３の左側面図、図６は図５の状態から補助シュートが進出することにより主シュートの基端から補助シュートの先端までの全長が最大状態にあるシュート装置の側面図、図７は図６の状態から角度調整用アクチュエータが作動し補助シュートの先端が上昇した様子を示すシュート装置の右側面図、図８は角度調整用アクチュエータ周りの要部拡大図、図９は主シュートと補助シュートが支軸に水平旋回可能に取り付けられている様子を示す説明平面図、図１０は主シュートとその張出部と補助シュートとその延設部と伸縮用アクチュエータとの位置関係を示す概略平面図、図１１は図１０のI-I線矢視図である。尚、図面を判り易くするため、図５は主シュートの張出部の図示を省略し、図１,２,８は伸縮用アクチュエータ等の図示を省略する。
【００１１】
本シュート装置はミキサー車後部に設置され、主シュート１と補助シュート２と伸縮用アクチュエータ３と角度調整用アクチュエータ４と半割りリング体１５とを具備する。
図１,図２に示すごとく、ミキサー車の車体フレームＦ上に、ミキサードラムＦ(以下、単に「ドラム」という。)の後部支持フレーム６が立設し、これに支持されるドラム５が後上り傾斜で回転軸線回りに回転できるよう設置されている。ドラム５の後端に排出孔７が設けられ、その下方にシュートの主要部たる主シュート１が配設される。
【００１２】
主シュート１はドラム５から払い出される生コンクリートを受け、先端に向けて下降傾斜する樋状の横断面半割り円筒状体(横断面円弧状体)である。主シュート１の基端部１ａが車体側から起立する支軸８に取り付けられている。ここでは、車体側の後部支持フレーム６から後方に向けてブラケット６１を水平に張り出し、該ブラケット６１の先端で上下方向に通孔を配する円筒体６２に、支軸８がその下半分８ｂを起立するようにして配設される(図１〜図６)。該支軸８は軸受６３より下の部分８ｂが筒体６２に挿通して回転自在に支持される一方、軸受６３より上の部分８ａは主シュート基端部１ａへ向かって屈曲してその上端部分がピン結合(ピンは符号Ｐ)で主シュート１の基端部１ａの外面下に取付けられて、主シュート１が支軸８を中心に水平旋回できるようにしている。符号６４は支軸に溶接一体化して軸受６３に着脱自在に載置される係合板、符号６５は該係合板６４と軸受６３とを固定するクランプを示す。
【００１３】
主シュート１の形状に関しては、主シュート１がドラム５から払い出される生コンクリートを最初に受け取る役目を担うため、その基端部１ａをホッパ入口のごとく口の大きな盆形状とする一方、基端部１ａから先端１ｃの排出口Ｅ１までの流路部分１ｂについては横断面略半円形で長手方向等断面の樋状体としている(図３,図９)。そして、主シュート１の主部１０は横断面略半円形としながらもその底部外面に図４,図１０ごとく長手方向に帯状(又は舌片状)の外方張出部１１を形成する。
符号１２は基端部１ａの外面下部に張出すブラケットで、該ブラケットに横断方向に配された横長ピンＰが軸支される(図８)。前記支軸８の上端部分が図２のごとくＴ字状に末広がりになっていて、その末広がり部分がピンＰに固着して主シュート１が支軸８に対し回動自在に取付けられる。
符号１３ｃは主シュート１の両側の外面で開口側縁に沿ってそれぞれ設けられるガイドバーを示す。該ガイドバーは後述の筒体２６に遊挿してその両端が取付片１３ａ,１３ｂによって主シュート１に固着される。符号１４は主シュート１の先端で、横断面略半円形の主シュート１の口が拡開しないよう保持する軸材を示す。符号１８は伸縮用アクチュエータ３の一端を係止するために主シュート１の外壁両側から外方に張出すブラケットで、該ブラケットは主シュート１の基端部１ａ寄り外面に設けられる(図３,図５,図１０)。
そして、主シュート１には半割りリング体１５が固着される。
【００１４】
半割りリング体１５は主シュート１の先端部分又は先端部分寄りで、前記補助シュート２の下面側を跨いで両端が主シュート１の両外縁に固着される部材である。
ここでの半割りリング体１５は、側面視帯状幅の円形リングをほぼ半分にし、さらにその両端を内側に曲げて相対向する舌片を延設した部材とする。半割りリング体１５で主シュート１の下面外側から覆うようにして、前記舌片が主シュート主部の両外縁に固着される。そして、半割りリング体１５の下部外面に図４,図１１のごとくの突片１５ａを固着する。
【００１５】
補助シュート２は主シュート１の外面に、内面の一部又は全部を当接又は近接させるようにして配設される樋状体である。本実施形態の補助シュート２は前記主シュート１の外面(下面)に、樋状本体部２１の内面(上面)の一部又は全部を当てがうように設けられる樋状の半割り円筒状体とする。補助シュート２は全長が主シュート流路部分１ｂの長さの約半分で、補助シュート２の退動下において前記流路部分１ｂの先端側前半分の外面に補助シュートのほぼ全部が近接する格好で取付けられる(図３)。流路部分１ｂより一回り大きくした横断面半円形した樋状本体部２１に加え、該樋状本体部の後部下部分から主シュート１の基端側へ向けて帯状(又は舌片状)に突出する延設部２３を設ける。延設部２３の帯状長手方向は樋状本体部２１の流路方向に一致する。延設部２３は補助シュート２が進退動する区間で前記張出部１１に当接又は近接して配される。
補助シュート２の後部上縁には本体部２１の両側から図４のごとく上方に向かう繋ぎ部２５が延設して、さらに両繋ぎ部２５の上縁に筒体２６が固着される。筒体２６の筒孔の方向は補助シュート２の進退動させる方向に一致させる。該筒体２６に前記ガイドバー１３ｃを遊挿し、該ガイドバー１３ｃが前記取付片１３ａ,１３ｂに固着されることによって、補助シュート２が該主シュート１に対し進退動可能なるようにする。
符号２８は伸縮用アクチュエータ３の他端を係止するために補助シュート２に係る樋状本体部２１の後部に設けた凸部で、該凸部は延設部２３を避けて樋状本体部２１の斜め下方位置に設けられる(図５,図１０)。符号２９は凸部２８と伸縮用アクチュエータ３とをつなぐ自在継手を示す。
【００１６】
伸縮用アクチュエータ３は、前記補助シュート２に一端を係止すると共に他端を前記主シュート１に係止して、その作動により主シュート１の基端から補助シュート２の先端までの全長を伸縮可能にするものである(図５,図６)。本実施形態は伸縮用アクチュエータ３に油圧シリンダを用いる。油圧シリンダ３ａのシリンダ本体３１が主シュート１の基端部に環状止具３７で取着される一方(図５)、シリンダロッド３２の先端が前記延設部２３を避けて前記補助シュート２の凸部２８に自在継手２９を介して連結される。
ロッド３２が収縮した図５の状態で、補助シュート２の樋状本体部２１は主シュート流路部分１ｂの前半部に重なる。一方、伸縮用油圧シリンダ３ａが作動してロッド３２が伸びると、補助シュート２が進出し、ロッド３２が伸び切った図６の状態になり、主シュート１の基端から補助シュート２の先端までの全長が最大になる。
【００１７】
角度調整用アクチュエータ４は、基端を車体側に係止する一方、先端を前記半割リング体１５に係止して前記支軸８とで主シュート１を支え、且つ該主シュート１の下降傾斜角度を変更設定し得るようにするものである(図６〜図８)。本実施形態は角度調整用アクチュエータ４に油圧シリンダを用いる。図６に示すごとく、油圧シリンダ４のシリンダ本体４１が支軸８の下端８ｂ１に自在継手６９を介して取着される一方(図５)、シリンダロッド４２の先端が自在継手１５ｂを介して前記突片１５ａに取着される。そして、角度調整用油圧シリンダ４と前記支軸８とで主シュート１(さらにはこれと一体の補助シュート２,伸縮用油圧シリンダ３ａ)の全体を受け支え、角度調整用油圧シリンダ４の作動によって支軸上端のピンＰを支点に主シュート１の下降傾斜角度θを変更できる構成とする(図８)。角度調整用油圧シリンダ４が収縮状態で、図８の実線図示のごとく下降傾斜角度θは大きくなり、角度調整用油圧シリンダ４のロッド４２が伸びるに従って図８の鎖線のごとく下降傾斜角度は徐々に小さくなっていく。
符号ＣＶはゴム製カバーを示し、図８では図示を省略する。
【００１８】
前記伸縮用油圧シリンダ３は油圧配線３５を経由して図示しないハンディ操作盤につながり、また角度調整用油圧シリンダ４は油圧配線４５を経由して図示しないハンディ操作盤につながる。ミキサー車後部近くで、ミキサー車運転手等は操作盤を手に持ってその操作スイッチに触り、伸縮用油圧シリンダ３や角度調整用油圧シリンダ４を個別に作動させることができる。補助シュート２の進退動,主シュート１の角度調整が容易に行える。図４,図５では角度調整用油圧シリンダ４ａ及び伸縮用油圧シリンダ３ａと操作盤とを配線３５,４５でつなぐが、無線配線することもできる。
符号Ｒ１,Ｒ２はドラム５から払い出される生コンクリートを主シュートに導くガイド用ゴム板片を示す。
【００１９】
次に、本シュート装置の一操作手順を説明する。例えば図９に示す側溝ｕの長手方向に順に生コンクリートを供給していく場合、先ずミキサー車から真っ直ぐ後方に主シュート１が伸びる実線図示した状態にして主シュート先端１ｃが側溝ｕに届くようにしてミキサー車を止める。このとき、伸縮用油圧シリンダ３ａのロッド３２を後退させて補助シュート２が主シュート１の下面に重なった状態にし、図３,図４のごとく主シュート１の基端から補助シュート２の先端までの全長を最小にする。この状態から図９の右方に向け側溝ｕラインに沿って生コンクリートを流す場合、支軸８を中心に主シュート１を時計回りにゆっくり回していくと同時に、操作盤を手に持ち、施工現場を目で確認しながら操作スイッチのボタンを押し伸縮用油圧シリンダ３ａのロッド３２を徐々に伸ばして補助シュート２を進出させる。そして、補助シュート２の先端(すなわちシュート先端の排出口Ｅ０)が側溝ｕに届くようにする。斯かる操作によって、ミキサー車が動かなければ排出口Ｅ０が側溝ラインから離れてしまっていた従来の不具合を解消し、側溝ラインに沿って生コンクリートを流すことができる。図９の左方に向け側溝ラインに生コンクリートを流す場合も、側溝ｕのラインに沿うよう、支軸８を中心に主シュート１を反時計回りにゆっくり回していくと同時に、操作スイッチボタンを押し伸縮用油圧シリンダ３ａのロッド３２を徐々に伸ばして補助シュート２の先端が側溝ｕに届くようにする。かくして、ミキサー車を動かすことなく所定量の生コンクリートを広い領域に必要なだけ供給できる。上下に高低差が在るような所に、生コンクリートを供給する場合は、角度調整用油圧シリンダ４を高低差の状況に合わせて、その操作スイッチボタンを押して角度調整用油圧シリンダ４を動かしていく。
【００２０】
このように構成したシュート装置は、伸縮用油圧シリンダ３ａを作動させることによって主シュート１の基端から補助シュート２の先端までの全長を伸縮自在にできるので、ミキサー車を止めたままで、シュート排出口Ｅ０の設定の自由度が大きくなる。延設部２３や張出部１１を設け、また筒体２６に遊挿したガイドバー１３ｃを主シュート１の両側の開口側縁に沿ってそれぞれ設け、補助シュート２が主シュート１に対し進退動可能なるようにすることによって、単純構造でもってミキサー車を止めたままで排出口Ｅ０の前後方向の微調整ができる。
しかも、補助シュート２の樋状本体部２１を主シュート１の先端近くまで進出させても、補助シュート２の自重で前記延設部２３が主シュート１の張出部１１に当接するので、主シュートから補助シュート２の先端まで樋状態を保って伸長可能になる。補助シュート２の樋状本体部２１のほぼ全域を、主シュート１の基端から補助シュート２の先端までの全長に有効活用できる。その伸長状態で、補助シュート２は、前記筒体が主シュートの両側で各一カ所しか存在しなくても延設部２３が加わることによって合計３カ所で係止されることになり、主シュートに安定保持される。補助シュート２の樋状本体部２１をシュート１の先端近くまで進出させても、補助シュート２の自重で前記延設部２３が主シュート１の張出部１１に当接又は係止するので、補助シュート２はその伸長状態でも両筒体２６,２６と延設部２３の合計３カ所で係止されることになり、主シュート１に安定保持される。
ガイドバー１３ｃに遊挿された一対の筒体２６が補助シュート２の後部上縁の繋ぎ部２５に設けられており、補助シュート２は自重によって常時、先端に向け下方傾斜するので、必然的に延設部２３が張出部１１に当接(又は係止)し、補助シュートがガタつくことはない。生コンクリートを排出場所へ払い出す作業の安全性が確保される。
【００２１】
これまで、ミキサー車が止ったままであると、引例１のケースで補助シュート２を倒すか倒さないかの二者択一しか選択できなかったが、本発明では補助シュート２を主シュート１にしまい込んだ最小長さの状態から、必要に応じロッドを伸長させ補助シュート２を主シュート先端１ｃよりも前進させて、主シュート１の基端から補助シュート２の先端までの全長を最大限にする長さまで自在変更しその変更幅を大きくできるので、ミキサー車を停止したままでも排出口Ｅ０の供給設定できる範囲が広がる。特に補助シュート２を跨ぐ半割りリング体１５が主シュート１の先端部分又は先端部分寄りに固着されるので、十分な長さの補助シュート２が確保され、排出口Ｅ０の供給設定できる範囲がいままでになく広がる。
また、主シュート１に補助シュート２と伸縮用アクチュエータ３とが一体化し、該主シュート１の基端部が支軸８によって支えられ、また半割りリング体１５の下部外面を介して主シュート１の先端部分又は先端部分寄りにて角度調整用アクチュエータ４で受け支えられているので、支軸８と角度調整用アクチュエータ４が主シュート１の両端で受け支えることになって安定保持される。さらに、支軸８の上端部分がＴ字状に末広がり主シュート１の基端部を支持し、また該主シュート１は先端部分又は先端部分寄りで角度調整用アクチュエータ４に支持されるので、あたかも３点支持の格好になって一層安定保持される。シュート装置の安全性が高まり、またその操作性も高まる。
【００２２】
シュート装置は支軸８を中心に円滑且つ安定した状態で水平旋回できる。この水平旋回と、前記主シュート基端から補助シュート先端までの全長が可変になることから、ミキサー車を止めた状態で、これまで排出口Ｅ０が点でしか設定調整できなかったものが、補助シュート２の伸長範囲と支軸８の水平旋回できる範囲で囲まれた面領域に生コンクリートの排出口Ｅ０を自在に調整設定できる。従来、側溝ｕ等の溝ラインに沿って生コンクリートを流していく場合、いちいちミキサー車を動かして調整しなければならなかった負担から開放される。ミキサー車後部に操作盤を設置することにより作業者が操作盤を持ち、施工現場を見ながら補助シュート２の伸長長さを微調整できるので作業性が一層向上する。
加えて、角度調整用アクチュエータ４があることによって排出口Ｅ０の高さも調整できるので、補助シュート２の伸長範囲と支軸８の水平旋回可能範囲と角度調整用アクチュエータ４で主シュート１,補助シュート２が動く下降傾斜角度θで囲まれた立体領域に排出口Ｅ０を設定して生コンクリートを供給できる。様々な工事現場で、ミキサー車を止めた状態で生コンクリートの排出口Ｅ０を所望の排出場所にもっていくことができ極めて有益となる。
【００２３】
尚、本発明においては前記実施形態に示すものに限られず、目的,用途に応じて本発明の範囲で種々変更できる。主シュート１,半割りリング体１５,補助シュート２,伸縮用アクチュエータ３,角度調整用アクチュエータ４,支軸８の形状,大きさ,材質等は用途に合わせて適宜選択できる。
【図面の簡単な説明】
【００２４】
【図１】本発明のミキサー車のシュート装置が設置されたミキサー車の背面図である。
【図２】図１の側面図である。
【図３】補助シュートが退動状態にあるシュート装置の要部斜視図である。
【図４】図３の右側面図である。
【図５】図３の左側面図である。
【図６】図５の状態から補助シュートが進出することにより主シュートの基端から補助シュートの先端までの全長が最大状態にあるシュート装置の側面図である。
【図７】図６の状態から角度調整用アクチュエータが作動し補助シュートの先端が上昇した様子を示す右側面図である。
【図８】角度調整用アクチュエータ周りの要部拡大図である。
【図９】主シュートと補助シュートが支軸に水平旋回可能に取り付けられている様子を示す説明平面図である。
【図１０】本主シュートと補助シュートと延設部と伸縮用アクチュエータとの位置関係を示す概略平面図である。
【図１１】図１０のI-I線矢視図である。
【符号の説明】
【００２５】
１        主シュート
１ａ      基端部
１ｃ      先端
１３ｃ    ガイドバー
１５      半割りリング体
２        補助シュート
２１      樋状本体部
２３      延設部
２６      筒体
３        伸縮用アクチュエータ
３ａ      伸縮用油圧シリンダ
３１      シリンダ本体
３２      ロッド
４        角度調整用アクチュエータ
４ａ      角度調整用油圧シリンダ
５        ミキサードラム
８        支軸
θ        下降傾斜角度            
【図１】
0003127218.tif 000003
【図２】
0003127218.tif 000004
【図３】
0003127218.tif 000005
【図４】
0003127218.tif 000006
【図５】
0003127218.tif 000007
【図６】
0003127218.tif 000008
【図７】
0003127218.tif 000009
【図８】
0003127218.tif 000010
【図９】
0003127218.tif 000011
【図１０】
0003127218.tif 000012
【図１１】
0003127218.tif 000013